(57)【要約】      （修正有）【課題】スレート屋根上に親綱を連結するための構造物が存在しない箇所においても、安全に作業を行うことができるスレート屋根用安全設備を提供する。【解決手段】波形のスレート屋根２上に複数の支持具１１が離間して設けられ、安全帯を連結するための横架材１３が前記支持具１１間に架設される。支持具１１は、スレート屋根２上に設置されて横架材１３を保持する保持部材１５と、上端部が保持部材１５に連結されると共に他の支持具１１側に向って下方に傾斜する支え部材１６を具備し、保持部材１５又は支え部材１６の少なくとも一方の下端は、スレート屋根の谷部９嵌め込まれ固定される。【選択図】図１
2010196361.tif 000002
【特許請求の範囲】
【請求項１】
波形のスレート屋根上に複数の支持具が離間して設けられ、安全帯を連結するための横架材が前記支持具間に架設されることを特徴とするスレート屋根用安全設備。
【請求項２】
前記支持具は、スレート屋根上に立設されて横架材を保持する保持部材と、上端部が保持部材に連結されると共に他の支持具側に向かって下方に傾斜する支え部材を具備し、支え部材の下端部がスレート屋根上に載置されることを特徴とする請求項１に記載のスレート屋根用安全設備。
【請求項３】
前記保持部材又は支え部材の少なくとも一方の下端部にスレート屋根の谷部に嵌め込まれて固定される嵌込部が設けられることを特徴とする請求項２に記載のスレート屋根用安全設備。
【請求項４】
前記嵌込部を固定する固定具を備え、母屋にフックボルトのフック部を引っ掛けると共に該フックボルトのボルトねじ部を母屋上のスレート屋根材を貫通して上方に突出し、該突出したボルトねじ部に螺合された第一ナットによりスレート屋根材が下方に押圧され、ボルトねじ部の第一ナットよりも上方に突出した部分に固定具が挿通されると共に該固定具を下方に押圧する第二ナットが螺合され、固定具により前記谷部に嵌め込まれた嵌込部が下方に押圧されることを特徴とする請求項３に記載のスレート屋根用安全設備。
【発明の詳細な説明】
【技術分野】
【０００１】
本発明はスレート屋根用安全設備に関する。
【背景技術】
【０００２】
工場や倉庫等の老朽化したスレート屋根の塗装や補修等を行う場合、作業者が脆くなったスレート屋根材を踏み抜いて落下事故が起きる恐れがある。
【０００３】
一般的な高所における安全対策としては、例えば特許文献１のように建物の構造物に親綱を取り付け、この親綱に安全帯のフックを連結して作業が行うことが知られている。
【先行技術文献】
【特許文献】
【０００４】
【特許文献１】特開２００５−６１１０６号公報
【発明の概要】
【発明が解決しようとする課題】
【０００５】
ところで、スレート屋根上に建物の構造物が少ないとき等には、スレート屋根上に親綱を設けることができない場合がある。この場合は、十分な安全性を確保することができない長い親綱が用いられたり、スレート屋根下の母屋位置を予想して、母屋上のスレート屋根を歩いたりするといった危険な作業が行われる恐れがある。
【０００６】
本発明は上記従来の事情に鑑みてなされたものであって、スレート屋根上に親綱を連結するための構造物が存在しない箇所においても、安全に作業を行うことができるスレート屋根用安全設備を提供することを課題とする。
【課題を解決するための手段】
【０００７】
上記課題を解決するために、波形のスレート屋根２上に支持具１１が離間して設けられ、安全帯を連結するための横架材１３が前記支持具１１間に架設されることを特徴とする。
【０００８】
また、前記支持具１１は、スレート屋根２上に立設されて横架材１３を保持する保持部材１５と、上端部が保持部材１５に連結されると共に他の支持具１１側に向かって下り傾斜した支え部材１６を具備し、支え部材１６の下端部がスレート屋根２上に載置されることが好ましい。
【０００９】
また、前記保持部材１５又は支え部材１６の少なくとも一方の下端にスレート屋根２の谷部９に嵌め込まれて固定される嵌込部が設けられることが好ましい。
【００１０】
また、前記嵌込部を固定する固定具１２を備え、母屋３にフックボルト５′のフック部６′を引っ掛けると共に該フックボルト５′のボルトねじ部７′を母屋３上のスレート屋根材２ａを貫通して上方に突出し、該突出したボルトねじ部７′に螺合された第一ナット２９によりスレート屋根材２ａが下方に押圧され、ボルトねじ部７′の第一ナット２９よりも上方に突出した部分に固定具１２が挿通されると共に該固定具１２を下方に押圧する第二ナット３２が螺合され、固定具１２により前記谷部９に嵌め込まれた嵌込部が下方に押圧されることが好ましい。
【発明の効果】
【００１１】
本発明にあっては、スレート屋根上に設けられた支持具を利用して、親綱を連結可能な建物構造物が存在しないスレート屋根上において安全帯を連結するための横架材を架設することができ、作業者の安全を確保することができる。
【００１２】
また、前記支持具は、スレート屋根に対して略垂直に立設される保持部材と、傾斜した支え部材を用いて簡単に形成できる。しかも、支え部材を横架材を保持する保持部材の支えとすることができ、特に安全帯が連結された横架材に下方向の力が加わる等して保持部材が他の支持具側に倒れることを確実に防止でき、より安全性を高めることができる。
【００１３】
また、保持部材又は支え部材の少なくともいずれか一方にスレート屋根の谷部に嵌め込んで固定される嵌込部を設けることで、支持具をスレート屋根に対してより強固に固定することができる。
【００１４】
また、フックボルトのスレート屋根上に突出したボルトねじ部に固定具を挿通し、該ボルトねじ部に固定具を下方に押圧する第二ナットを螺合し、該固定具により前記谷部に嵌め込まれた嵌込部を下方に押圧することで、母屋にスレート屋根材を固定するためのフックボルトを利用して支持具の嵌込部を強固にスレート屋根に固定することができる。
【図面の簡単な説明】
【００１５】
【図１】本発明の実施形態の一例のスレート屋根安全設備を示す斜視図である。
【図２】同上の支持具の固定部の取付構造を示す断面図である。
【図３】同上のスレート屋根の取付構造を示す断面図である。
【発明を実施するための形態】
【００１６】
以下、本発明の実施形態について添付図面に基づいて説明する。
【００１７】
図１に示す本実施形態の一例のスレート屋根安全設備は、工場や倉庫等の建物のスレート屋根２の塗装や捕集等、スレート屋根２上で作業を行う際に用いられるものであって、既設又は新設の建物のスレート屋根２に１乃至複数の安全器具１を設けてなる。
【００１８】
スレート屋根２は、山部８と谷部９を交互に形成した波形のスレート屋根材２ａを建物の母屋３上に葺設して構成される。
【００１９】
母屋３は断面Ｃ形のチャンネル材で構成される。スレート屋根材２ａを母屋３に固定するには、図３のようにフックボルト５の下部に形成されたフック部６を母屋３に引っ掛けると共に、フックボルト５の上部に形成されたボルトねじ部７をスレート屋根材２ａの山部８の頂部を貫通させてスレート屋根材２ａ上に突出させ、この突出したボルトねじ部７にナット１０を螺合し、該ナット１０により母屋３上に載置されたスレート屋根材２ａの山部８の頂部を下方に押圧する。
【００２０】
安全器具１は、スレート屋根２上に離間して設けられる二個の支持具１１と、各支持具１１をスレート屋根２に固定する固定具１２と、両支持具１１間に架設される横架材１３で構成される。
【００２１】
各支持具１１は、スレート屋根２に立設される保持部材１５と、上端部が保持部材１５に連結されると共に他の支持具１１側に向かって下方に傾斜する支え部材１６を具備している。
【００２２】
保持部材１５は、スレート屋根２の屋根面に対して略垂直な縦棒材からなる柱部１７と、柱部１７の下端に継手２０にて連結されて屋根面に対して略水平となる横棒材からなる固定部１８とで構成され、全体として逆Ｔ字状に形成されている。固定部１８の長手方向の両端部はワイヤー等からなる連結材１９を介して柱部１７に接続され、これによって保持部材１５は補強される。
【００２３】
柱部１７の上端部には横架材１３の端部を保持する保持部２１が対をなす他方の支持具１１側に向けて突出して設けられている。
【００２４】
支え部材１６は、対をなす他方の支持具１１側に向かって下り傾斜する棒材からなる斜材部２２と、斜材部２２の下端部に継手２３にて連結されて屋根面に対して略水平となる横棒材からなる載置部２４とで構成され、全体として逆Ｔ字状に形成されている。載置部２４の長手方向の両端部はワイヤー等からなる連結材２６を介して斜材部２２に接続され、これによって支え部材１６は補強される。
【００２５】
支え部材１６は、斜材部２２の上端部が柱部１７の上部にクランプ２５を介して連結され、また、下端部の載置部２４が対をなす他方の支持具１１側に位置するスレート屋根２上に載置され、これにより支え部材１６は屋根面に立設された保持部材１５が倒れないように支える。
【００２６】
前記柱部１７、固定部１８、斜材部２２、及び載置部２４を構成する棒材はいずれも鋼製の丸形パイプで構成される。なお、柱部１７、固定部１８、斜材部２２、及び載置部２４を構成する棒材は中実のものであってもよい。
【００２７】
支持具１１をスレート屋根２上に設けるには、断面円形の固定部１８及び載置部２４をスレート屋根２の離間する谷部９に夫々シート２７を介して或いは直接嵌め込んで固定する。これにより固定部１８及び載置部２４を両側の山部８によって長手方向と直交する方向に移動不能となる。なお、載置部２４は前記フックボルト５を貫通させた山部８に隣接する谷部９に嵌め込むと、フックボルト５によっても載置部２４が他方の支持具１１側に移動することを防止できる。
【００２８】
そして、この状態で、固定部１８及び載置部２４のうち固定部１８のみを複数の固定具１２を用いてスレート屋根２に固定して、固定部１８の長手方向にも移動不能とする。すなわち、本例にあっては、前記固定部１８及び載置部２４の夫々が谷部９に嵌め込まれる長尺な嵌込部を構成している。
【００２９】
固定具１２は平面視において固定部１８の長手方向と直交する方向に長い断面Ｌ字状のアングル材からなり、各固定具１２は固定部１８の柱部１７を挟んで両側部分の上方に配設される。
【００３０】
各固定具１２はスレート屋根２に対して固定され、その固定にはスレート屋根材２ａを母屋３に固定するための図２に示すフックボルト５′が利用される。
【００３１】
フックボルト５′は、前記フックボルト５と同様に、上部にボルトねじ部７′が形成された軸部２８の下端にＵ字状のフック部６′を設けてなり、全体として略Ｊ字状に形成される。フックボルト５′の軸部２８の長さはスレート屋根２上に突出するボルトねじ部７′が谷部９に配置された固定部１８よりも上方に突出するようフックボルト５の軸部２８の長さよりも長くなっている。
【００３２】
フックボルト５′にてスレート屋根材２ａを母屋３に固定する方法は前記フックボルト５と同様である。つまり、フックボルト５′にてスレート屋根材２ａを母屋３に固定するには、フック部６′を母屋３の下端部に引っ掛けると共に、ボルトねじ部７′をスレート屋根材２ａの山部８の頂部を貫通させてスレート屋根材２ａ上に突出させる。次いで、この突出したボルトねじ部７′にナット２９を螺合し、該ナット２９により母屋３上に載置されたスレート屋根材２ａの山部８の頂部を下方に押圧する。以下、ナット２９を第一ナット２９と記載する。
【００３３】
各固定具１２をスレート屋根２に対して固定するには前記フックボルト５′が２本用いられる。両フックボルト５′のフック部６′は同一の母屋３に引っ掛けられ、両者は母屋３の幅方向における反対側から引っ掛けられる。両フックボルト５′の軸部２８は母屋３を挟んで母屋３の幅方向の両側に配置され、これによりスレート屋根２の前記固定部１８が嵌め込まれる谷部９の両側の山部８から各フックボルト５′のボルトねじ部７′が上方に突出する。なお、両フックボルト５′のうち一方は既設のフックボルト５に代えて設けられ、ボルトねじ部７′を既設のフックボルト５のボルトねじ部７を貫通させるためのスレート屋根材２ａに形成された孔に貫通させ、スレート屋根２上に突出させるものである。
【００３４】
固定具１２で前記谷部９に嵌め込まれた固定部１８をスレート屋根２に固定するには、固定部１８上に固定具１２を長手方向の両側部分が固定具１２よりも突出するように配置して、固定部１８の両側に位置する各フックボルト５′の第一ナット２９よりも上方に突出したボルトねじ部７′を固定具１２の横片部３１に挿通させ、この横片部３１よりも上方に突出した各ボルトねじ部７にナット３２を螺合し、各ナット３２により横片部３１を下方に押圧する。これによって、固定部１８が各固定具１２の横片部３１と母屋３上に載置されたスレート屋根２の谷部９の間で挟持され、谷部９の長手方向に移動不能となる。
【００３５】
このようにスレート屋根２上に設けられる支持具１１は、対をなす他方の支持具１１側に倒れないよう支え部材１６に支えられた状態で、スレート屋根２上に平面視で固定具１２の長手方向と直交する方向に離間して設けられる。そして両支持具１１の上端部に設けられた保持部２１にはワイヤーからなる横架材１３の端部が夫々取り付けられ、これにより横架材１３が適度の緊張状態で両支持具１１間に横架される。
【００３６】
前記スレート屋根２上の両支持具１１間に架設された横架材１３には、例えば安全帯に接続された親綱３３の端部に形成されたフック３４を引っ掛けたり、親綱３３の端部を横架材１３に結びつけたり、或いは安全帯のフックを横架材１３に引っ掛ける等して、作業者が装着した安全帯を横架材１３に連結することができ、これにより、作業者がスレート屋根２を踏み抜いて生じる落下事故を防止することができる。なお、前記フック３４や安全帯は横架材１３に対して横架材１３の長手方向に移動自在に連結してもよいものとする。
【００３７】
以上説明した本例のスレート屋根安全設備にあっては、スレート屋根２上に離間して設けられた支持具１１を利用して、親綱３３を連結可能な建物構造物が存在しないスレート屋根２上において安全帯を連結するための横架材１３を架設して、作業者の安全を確保することができる。
【００３８】
また、前記支持具１１は、スレート屋根２に立設されて横架材１３を保持する保持部材１５と、傾斜した支え部材１６を用いて簡単に形成できる。しかも、安全帯が連結される横架材１３に下方向の力が加わる等して保持部材１５が他方の支持具１１側に倒れることを確実に防止でき、より安全性を高めることができる。また、保持部材１５の下端部に設けられた固定部１８及び支え部材１６の下端部に設けられた載置部２４は長尺でスレート屋根２の谷部９に嵌め込まれるので、支持具１１をスレート屋根２に対してより強固に固定することができる。
【００３９】
また、谷部９に嵌め込まれた固定部１８を固定具１２でスレート屋根２に強固に固定することができ、尚且つ、この固定具１２は、スレート屋根材２ａを母屋３に固定するためのフックボルト５′を利用してスレート屋根２に取り付けることができる。
【００４０】
なお、本例の安全器具１は2個の支持具１１を具備するものであるが、スレート屋根２上に一列に並べて設けられる３以上の支持具１１を備え、これら支持具１１で一の横架材１３を支持してもよく、支持具１１は横架材１３の中途を保持するものであってもよい。
【００４１】
また、本例では固定部１８及び載置部２４の両方をスレート屋根２の谷部９に嵌め込んだが、固定部１８及び載置部２４のうちいずれか一方のみを谷部９に嵌め込んでもよい。また、本例では固定部１８及び載置部２４のうち固定部１８のみを複数の固定具１２を用いてスレート屋根２に固定したが、固定部１８に加えて載置部２４も同様の固定具１２及びフックボルト５′を用いてスレート屋根２に固定してもよい。
【００４２】
また、支持具１１間に架設される横架材１３はワイヤーで構成したが、横架材１３はロープ等のその他の索状の部材で構成してもよく、また、ポール等の棒状の部材等で構成してもかまわない。
【００４３】
また、支持具１１はスレート屋根２上に複数設けられ、横架材１３が架設することができるものであれば、適宜設計変更可能である。
【符号の説明】
【００４４】
２  スレート屋根
２ａ  スレート屋根材
８  山部
９  谷部
１１  支持具
１２  固定具
１３  横架材
１８  固定部
２４  載置部
３３  親綱
【図１】
2010196361.tif 000003
【図２】
2010196361.tif 000004
【図３】
2010196361.tif 000005